(57)【要約】【課題】下パネルを取り付ける取付凹部に設けられた孔部を介して挿入された異物による遊技機本体への不正行為を防止する。【解決手段】遊技機の一例であるスロットマシンは、フロントドア１０の下部に下パネル３０を取り付ける取付凹部５０を設け、表面にＬＥＤ６４を実装したプリント基板６３の裏面にＬＥＤ６４に電気的に接続された基板側コネクタ６７を実装し、取付凹部５０を形成して取付凹部５０に取り付けられた下パネル３０に対向して配置された底板５０ｂに基板側コネクタ６７が挿通可能なコネクタ挿通孔５５を設け、基板側コネクタ６７をコネクタ挿通孔５５に挿通してＬＥＤ６４及び基板側コネクタ６７が実装されたプリント基板６３を底板５０ｂに取り付けると、プリント基板６３によってコネクタ挿通孔５５が塞がれる。【選択図】図６
2008245757.tif 000002
【特許請求の範囲】
【請求項１】
フロントドアに設けられた取付凹部の前側開口部に下パネルを取り付けて、前記下パネルに描かれた絵を内側から照らすため前記取付凹部内に光源を設けた遊技機の光源取付構造であって、
前記光源を表面に実装した基板の裏面に前記光源に電気的に接続された基板側コネクタを実装し、
前記取付凹部を形成する底板に前記基板側コネクタが挿通可能なコネクタ挿通孔を設け、
前記基板側コネクタを前記コネクタ挿通孔に挿通して前記光源及び前記コネクタが実装された基板を前記底板に取り付けると、前記基板によって前記コネクタ挿通孔が塞がれることを特徴とする遊技機の光源取付構造。
【発明の詳細な説明】
【技術分野】
【０００１】
本発明は、フロントドアに設けられた取付凹部の前側開口部に下パネルを取り付けて、下パネルに描かれた絵を内側から照らすため取付凹部内に光源を設けた遊技機の光源取付構造に関する。
【背景技術】
【０００２】
従来の遊技機の一例であるスロットマシンは、本スロットマシンのゲーム内容を紹介等するための絵が描かれた下パネルをフロントドアのパネル部に設けたものが一般的に知られている。この下パネル７２は、例えば、特許文献１に記載されており、図７（分解斜視図）に示すように、フロントドア７０のパネル部７１に設けられた取付凹部７５の前側開口部７５ａに取り付けられる。取付凹部７５の底板７５ｂには下パネル照明用蛍光灯（図示せず）が設けられ、この蛍光灯によって下パネル７２に描かれた絵が内側から照らされる。
【０００３】
下パネル照明用蛍光灯は、取付凹部７５の底板７５ｂに設けられた取付リブ７７を介して取り付けられ、下パネル照明用蛍光灯から延びるケーブルは底板７５ｂに設けられた挿通孔７８の表側から裏側に通って底板７５ｂに取り付けられた蛍光灯インバータ（図示せず）の裏面にコネクタを介して電気的に接続される。蛍光灯インバータは底板７５ｂに設けられた装着孔７５ｃに挿通された状態で底板７５ｂに取り付けられる。
【０００４】
【特許文献１】特開２００５−２１４４４号公報
【発明の開示】
【発明が解決しようとする課題】
【０００５】
この蛍光灯インバータを装着孔７５ｃに装着すると、インバータと装着孔７５ｃとの間には隙間が殆ど生じないが、挿通孔７８はこれに挿通されるケーブルの断面積と比較して大きいので、挿通孔７８にケーブルを挿通すると挿通孔７８に大きな隙間が残る。このため、何らかの手段によって下パネル７２が不正に取り外されると、挿通孔７８の隙間から異物が挿入されて、スロットマシンの筐体内に設置された制御基板に対して不正行為が行われる虞が生じるという問題が発生する。
【０００６】
本発明は、このような問題に鑑みてなれたものであり、下パネルが取り外されて取付凹部が露出したときに取付凹部に設けられた孔部を介して挿入された異物による遊技機本体内への不正行為を防止することが可能な遊技機の光源取付構造を提供することを目的とする。
【課題を解決するための手段】
【０００７】
このような課題を解決するため、本発明は、以下の特徴を有する。特徴の一つは、フロントドアに設けられた取付凹部の前側開口部に下パネルを取り付けて、下パネルに描かれた絵を内側から照らすため取付凹部内に光源（例えば、実施形態におけるＬＥＤ６４）を設けた遊技機（例えば、実施形態におけるスロットマシン１）の光源取付構造であって、光源を表面に実装した基板（例えば、実施形態におけるプリント基板６３）の裏面に光源に電気的に接続された基板側コネクタを実装し、取付凹部を形成する底板に基板側コネクタが挿通可能なコネクタ挿通孔を設け、基板側コネクタをコネクタ挿通孔に挿通して光源及びコネクタが実装された基板を底板に取り付けると、基板によってコネクタ挿通孔が塞がれることを特徴とする。
【０００８】
この特徴によれば、表面側に光源、裏面側に基板側コネクタが実装された基板を取付凹部の底板に取り付けると、基板側コネクタが取付凹部に設けられたコネクタ挿通孔に挿通すると共に、光源及び基板側コネクタを実装した基板によってコネクタ挿通孔が塞がれるので、何らかの手段によって下パネルが不正に取り外された場合でも、コネクタ挿通孔は塞がれた状態にあるので、コネクタ挿通孔から異物が挿入されてスロットマシンの筐体内に設置された制御基板に対して不正行為が行われる虞を未然に防止することができる。
【発明の効果】
【０００９】
本発明に係わる遊技機によれば、上記特徴を有することによって、下パネルが取り外されて取付凹部が露出したときに取付凹部に設けられた孔部を介して挿入された異物による遊技機本体内への不正行為を防止することが可能な遊技機の光源取付構造を提供することができる。
【発明を実施するための最良の形態】
【００１０】
以下、本発明に係わる遊技機の好ましい実施の形態を図１から図６に基づいて説明する。尚、本実施の形態は、遊技機の一例であるスロットマシンについて説明する。
【００１１】
スロットマシン１は、図１（正面図）及び図２（内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１２】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１３】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１４】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１５】
操作パネル部２０の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００１６】
パネル部１１の下部には、本スロットマシン１のゲーム内容を紹介等するための絵（図示せず）が描かれた下パネル３０が設けられ、下パネル３０の左右方向両外側のパネル部１１には演出用ランプ２２，２２が設けられている。なお、下パネル３０の構造については後述する。下パネル３０の下方には、遊技メダルを払い出すための排出口１１ｊ、メダル受皿１１ｋ、放音部１１ｍが設けられている。
【００１７】
フロントドア１０の裏面側の上部には、前述した放音部１１ｅ，１１ｆのスピーカＳＲ，ＳＬが設けられ、スピーカＳＲ，ＳＬの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるセレクト機構Ｇ０と、セレクト機構Ｇ０で振り分けられた遊技メダルを筐体６０側に設けられたホッパ装置ＨＰへ案内するガイド部材Ｇ１と、セレクト機構Ｇ０で振り分けられた異物を排出口１１ｊへ案内するガイド部材Ｇ２と、ホッパ装置ＨＰから出力される払い出し用のメダルを排出口１１ｊへ案内するガイド部材Ｇ３とが設けられている。排出口１１ｊの近傍には、前述した放音部１１ｍを構成するスピーカＳＷが取り付けられている。
【００１８】
枠体１９とセレクト機構Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらＢ，ＳＴ，ＳＰ１，ＳＰ２，ＳＰ３の出力信号はハーネスを介して筐体６０に設けられたメイン制御基板２４に転送される。
【００１９】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵの側面には電源装置基板２５が取り付けられ、リール装置６１の上端には回胴装置基板２６が取り付けられ、リール装置６１の上方には前述したメイン制御基板２４が取り付けられている。メイン制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２５、回胴装置基板２６及び後述するサブ制御基板１７に所定の指令を行って夫々に分散制御を行わせることにより、本スロットマシン１全体を集中制御する。
【００２０】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２１】
このサブ制御基板１７は、不正行為を防止するための基板ケース２７内に収容されており、この基板ケース２７ごと一体として演出表示装置１１ｇの裏面側に着脱可能に取り付けられている。
【００２２】
パネル部１１の下部に設けられた下パネル３０は、図３（分解斜視図）に示すように、パネル部１１の下部に形成された取付凹部５０の前側開口部５０ａに取り付けられ、外パネル３１と外パネル３１の裏面側に重ね合わされて固定される内パネル４０とを有して構成される。外パネル３１と内パネル４０との間には、絵が描かれたデザインシート４８が挟装される。下パネル３０を構成する外パネル３１，内パネル４０，デザインシート４８は、取付凹部５０内に取り付けられるプリント基板６３に実装された複数のＬＥＤ６４からの光を透過可能な透明（デザインシート４８は半透明）な合成樹脂材料製であり、外パネル３１，内パネル４０は一体成型される。
【００２３】
下パネル３０は、内パネル４０の上部に設けられた第１係止部４３と外パネル３１及び内パネル４０の下部に設けられた第２係止部４４が、取付凹部５０の上部及び下部に設けられた係合孔部５１，５２に係止されて、取付凹部５０の前側開口部５０ａに取り付けられる。
【００２４】
取付凹部５０は、これに取り付けられた下パネル３０に対向配置された底板５０ｂと、底板５０ｂの周囲に底板５０ｂを囲むようにして配置されて前後方向に延びる側板５０ｃとを有してなる。底板５０ｂの中間部には上下方向に所定間隔を有して左右方向に並んで延びて前側に突出する一対の係止リブ５３、５３'が上下に２段設けられている。
【００２５】
一対の係止リブ５３、５３'間の右側端部の底板５０ｂには係止突起部５４が設けられ、一対の係止リブ５３、５３'間の左側の底板５０ｂにはコネクタ挿通孔５５が設けられ、一対の係止リブ５３、５３'間の左側端部の底板５０ｂには、雌ねじ部５６が設けられている。この一対の係止リブ５３、５３'間に複数のＬＥＤ６４を実装したプリント基板６３が装着される。
【００２６】
プリント基板６３は左右方向に延びて正面視において長方形状であり、プリント基板６３の表面には長さ方向に所定間隔を有して配置された複数のＬＥＤ６４が実装されている。これらのＬＥＤ６４はプリント基板６３上に形成されたプリント配線（図示せず）を介して電気的に接続されている。そして、このプリント配線はプリント基板６３の左側端部の裏面側に実装された後述する基板側コネクタに電気的に接続されている。つまり、複数のＬＥＤ６４はプリント配線を介して基板側コネクタに電気的に接続されている。プリント基板６３の左側端部には後述するねじを通すための孔部６５が設けられている。なお、光源はＬＥＤ６４に限るものではなく、電球でもよい。
【００２７】
プリント基板６３の上下方向長さは、図４（部分正面図）に示すように、一対の係止リブ５３、５３'間の間隔より僅かに短く、プリント基板６３の左右方向長さは一対の係止リブ５３、５３'の左右方向長さより僅かに長い。このため、プリント基板６３の右側端部を係止突起部５４に係合させて、プリント基板６３の左側を一対の係止リブ５３、５３'間に挿入させるように底板５０ｂ側に近づけると、プリント基板６３が一対の係止リブ５３、５３'間に装着される。そして、孔部６５を介してねじ６６を雌ねじ部５６に螺合すると、プリント基板６３を底板５０ｂに固定することができる。
【００２８】
プリント基板６３の裏面側の左側端部には、図５（部分横断面図）及び図６（部分縦断面図）に示すように、前述した基板側コネクタ６７が実装されている。この基板側コネクタ６７は底板５０ｂに設けられたコネクタ挿通孔５５に挿通可能な大きさに形成されている。
【００２９】
基板側コネクタ６７は、プリント基板６３が一対の係止リブ５３、５３'間に装着されると、コネクタ挿通孔５５を挿通した状態となって基板側コネクタ６７の先端部が底板５０ｂの裏側に突出する。そして、コネクタ挿通孔５５は一対の係止リブ５３、５３'間に装着されたプリント基板６３によって塞がれる。このため、何らかの手段によって下パネル３０が不正に取付凹部５０から取り外されても、コネクタ挿通孔５５は塞がれた状態にあるので、コネクタ挿通孔５５から異物が挿入されてスロットマシン１の筐体６０内に設置された制御基板に対して不正行為が行われる虞を未然に防止することができる。なお、一対の係止リブ５３、５３'間の底板５０ｂには、プリント基板６３に実装された他の電子部品からプリント基板６３の裏側に突出する配線の逃げスペースや孔を設けてもよい。この場合、孔は、電子部品毎の孔や、複数の電子部品に共用されて係止リブ５３、５３'方向に延びる長孔でもよい。
【００３０】
また、プリント基板６３は一対の係止リブ５３、５３'間に装着されるので、プリント基板６３の側面は係止リブ５３、５３'によって覆われる。このため、プリント基板６３の底面に物を挿入することは極めて困難である。このため、プリント基板６３の底面に物を挿入してプリント基板６３を引き上げて係止リブ５３、５３'間の底板５０ｂに設けられた孔を露出させ、この孔を介して行う不正行為を極めて抑止力の高い状態で防止することができる。
【００３１】
なお、前述した実施形態では、プリント基板６３に１つの基板側コネクタ６７を実装した場合を示したが、複数の基板側コネクタ６７をプリント基板６３の裏面に実装してもよい。この場合には、基板側コネクタ６７毎に対応するコネクタ挿通孔５５を取付凹部５０の底板５０ｂに設け、これらの孔部はプリント基板６３によって塞がれる大きさにする。また孔部は、プリント基板６３の長さ方向に延びて長方形状を有して複数の基板側コネクタ６７を挿通可能で且つプリント基板６３によって閉塞可能なものでもよい。また前述した実施形態では、ＬＥＤ６４及び基板側コネクタ６７を実装する基板としてプリント基板６３を例にしたが、異物の挿入の虞がなければ、多数のスルーホールを備えた基板でもよい。さらに前述した実施例では、スロットマシン１を例にしたが、パチンコやゲームセンタで用いられているゲーム機などを対象にしてもよい。
【図面の簡単な説明】
【００３２】
【図１】本発明の一実施の形態に係わるＬＥＤ取付構造を備えたスロットマシンの正面図を示す。
【図２】このスロットマシンのフロントドアを開けた状態におけるフロントドア及び筐体の内部構造図を示す。
【図３】下パネルを装着可能な取付凹部を有したフロントドアの表面側斜視図を示す。
【図４】取付凹部の正面図を示す。
【図５】プリント基板が取り付けられた取付凹部を備えたフロントドアの横断面図を示す。
【図６】プリント基板が取り付けられた取付凹部を備えたフロントドアの縦断面図を示す。
【図７】従来のフロントドアの分解斜視図を示す。
【符号の説明】
【００３３】
１  スロットマシン（遊技機）
１０  フロントドア
３０  下パネル
５０  取付凹部
５０ａ  前側開口部
５５  コネクタ挿通孔
６３  プリント基板（基板）
６４  ＬＥＤ（光源）
６７  基板側コネクタ
【図１】
2008245757.tif 000003
【図２】
2008245757.tif 000004
【図３】
2008245757.tif 000005
【図４】
2008245757.tif 000006
【図５】
2008245757.tif 000007
【図６】
2008245757.tif 000008
【図７】
2008245757.tif 000009